(57)【要約】      （修正有）【課題】透明樹脂シートを張る作業を軽減させ、着脱が容易且つ安価な展張器具で多少の風が吹いても影響を受けずに透明樹脂シートを屋根部に張る作業を可能にするパイプハウス用の展張器具を提供する。【解決手段】被覆部材の飛び出しを防止する第一飛出防止部１１と、前記被覆部材をパイプハウス内部方向に押し付ける剥離防止体を一時的に掛止保持が可能な掛止保持手段を設けた被覆部材の飛び出しを防止する第二飛出防止部１３と、被覆部材が載置され、移送を容易とする移送ガイド部１４とから構成され、前記第一飛出防止部１１と第二飛出防止部１４とは付勢手段３１ａを介して互いに係着され、何れかの一方が外側に回動するように移送ガイド部１４に係脱自在に係合している。【選択図】図２
2006087381.tif 000002
【特許請求の範囲】
【請求項１】
複数のパイプが連設されて構成されたパイプハウスで使用する被覆部材の展張器具で
あって、
前記被覆部材の飛び出しを防止する第一飛出防止部と、
前記被覆部材をパイプハウス内部方向に押し付ける剥離防止体を一時的に掛止保持が可能
な掛止保持手段を設けた被覆部材の飛び出しを防止する第二飛出防止部と、
被覆部材が載置され、移送を容易とする移送ガイド部と、から構成され、
前記第一飛出防止部と第二飛出防止部とは付勢手段を介して互いに係着され、
何れかの一方が外側に回動するように移送ガイド部に係脱自在に係合している
ことを特徴とする展張器具。
【発明の詳細な説明】
【技術分野】
【０００１】
本発明は、農業用パイプハウスに展張するビニール等の透明樹脂シートを張る展張作業に使用する展張器具に関する。
【背景技術】
【０００２】
従来、農業用に使用されるパイプハウスは、金属製のパイプ等で骨組みし構成されたもので、骨組み全体を覆うようにビニール等の透明樹脂シート（以下、透明樹脂シートと記す。）を張り、その上から弾性のあるロープ等の弾性体で形成された剥離防止体（以下、マイカー線と記す。）で押え付けて透明樹脂シートが骨組みから剥離することを防止することで、パイプハウスの内部の気密性をあげ、パイプハウス内で作物の栽培を行えるように構成されている。この透明樹脂シートは、毎年、農作物の栽培時期にのみパイプハウスに張られ、栽培が終了すると取り除かれる。  
【０００３】
農業用のパイプハウスは、アーチ状の屋根部を形成するアーチパイプ（耐腐食性があり、強度に優れた金属素材で形成されている）が長手方向に均等間隔を空けて平行に配置され、アーチパイプに内接され長手方向に水平に設置された梁部によって構成されている。
【０００４】
透明樹脂シートをパイプハウスに張る際に用いる器具として、例えば、パイプハウスの
側面部の上端を形成し長手方向に延びる骨組みの梁部に設置する構造のパイプハウスの展
張器具を、本出願人が提案し、下記の特許文献１にて開示している。
【特許文献１】特願２００３−４３３８９５号公報
【発明の開示】
【発明が解決しようとする課題】
【０００５】
しかしながら、特願２００３−４３３８９５号公報に開示したパイプハウスの展張器具にあっては、結束状態の透明樹脂シートを展張器具内に挿入する場合などは、第一飛出防止部と第二飛出防止部を互いに引き離して、透明樹脂シート挿入用の開口部を形成し、また、逆に透明樹脂シートを端から端まで牽引する場合などは、第一飛出防止部と第二飛出防止部を互いに近づけて開口部を閉じなければならなかった。これら設置された数多くの展張器具に対し、しかも高所での作業は、大変な労力であった。  
【０００６】
本発明は、上記の問題点を解決するために、透明樹脂シートを展張器具内に挿入する場合、または透明樹脂シートを牽引する場合等の開口部の開閉を簡単な作業で行えるようにしたパイプハウス用の展張器具を提供することを目的とする。
【課題を解決するための手段】
【０００７】
このため、本発明は、複数のパイプが連設されて構成されたパイプハウスで使用する被覆
部材の展張器具であって、前記被覆部材の飛び出しを防止する第一飛出防止部と、前記被
覆部材をパイプハウス内部方向に押し付ける剥離防止体を一時的に掛止保持が可能な掛止
保持手段を設けた被覆部材の飛び出しを防止する第二飛出防止部と、被覆部材が載置され、
移送を容易とする移送ガイド部と、から構成され、前記第一飛出防止部と第二飛出防止部
とは付勢手段を介して互いに係着され、何れかの一方が外側に回動するように移送ガイド
部に係脱自在に係合することに達成される。
【発明の効果】
【０００８】
本発明によれば、移送ガイド部に、第一飛出防止部または第二飛出防止部の何れか一方が係合している状態を解除すると、回転軸（支点）に設けた付勢手段により、飛出防止部が外側に回動して、ガイド部１３間に開口部が形成される極めて簡単な操作性の良いパイプハウスの展張器具を提供できる。
【発明を実施するための最良の形態】
【０００９】
以下、各図を参照し、本発明の実施の形態について説明する。  図１は、本発明の展張器具１０をパイプハウス１に設置した斜視図である。パイプハウス１は、金属製のパイプ等からなるアーチパイプ２をパイプハウス１長手方向に適宜間隔を空けて連ねて立設させ、アーチパイプ２に内接しパイプハウス１の長手方向に地面と水平に設けられた複数の梁部３（屋根梁部３ａ、側面梁部３ｂ）とにより骨組みされて構成されている。また、同形状のパイプハウス１の側面部１ｂを連結して何棟も連設させて設置する場合には、パイプハウス１間に雨樋４が設けられ、透明樹脂シート６０の展張作業時には、この雨樋４上に作業者が載り、屋根部１ａ上の展張作業を行っている。尚、被覆部材として透明樹脂シート６０で説明を行っているが、フィルム状の部材、網状の部材等であっても良く、材質においても、ポリエチエン、塩化ビニールやポリプロピレン等の合成樹脂等この限りではない。
【００１０】
パイプハウス１には、屋根部１ａと側面部１ｂと出入口面部１ｃとで形成された骨組みに、透明な樹脂素材（ビニール等）から成る透明樹脂シート６０を被覆して使用する。更に、透明樹脂シートが風に煽られてパイプハウス１から剥がれてしまわないように透明樹脂シートの上からパイプハウス１にしっかりと固定するために弾性部材から成る剥離防止体（以下、マイカー線と記す。）でパイプハウス１内部方向に押下する。パイプハウス１の全体を透明樹脂シート６０で被覆することで、外部からパイプハウス１内部への雨や風の進入を防ぎ、安定した条件下でパイプハウス１内での農作物の栽培を可能とするものである。
【００１１】
展張器具１０は、パイプハウス１の屋根部１ａに設けられ、パイプハウス１の側面部１ｂ近傍の屋根梁部３ａに、移送ガイド部１３が地面とほぼ水平になるような角度で、ベース本体部２０に設けられた固定部２１によりベース本体部２０を取り付け、展張本体部１５を係合させてから使用するものである。透明樹脂シート６０を移送ガイド部１３上に誘導し、移送ガイド部１３に設けられた移送ローラ等から成る移送手段により、パイプハウス１の長手方向に透明樹脂シート６０を移送可能に成している。  
【００１２】
更に本発明の展張器具１０の構造について詳しく説明する。  図２は、展張器具１０の外観斜視図で、展張本体部１５をベース本体部２０に係合した状態図。  図４は、展張本体部１５をベース本体部２０から取外した状態図。  図６は、第一飛出防止部１１と第二飛出防止部１２と移送ガイド部１３の構成説明図。図８は、展張器具１０内に於いて、移送される透明樹脂シート６０の状況説明図。パイプハウス１の展張器具１０は、第一飛出防止部１１と、第二飛出防止部１２と、移送ガイド部１３と、展張本体部１５と、ベース本体部２０とから構成されていている。
【００１３】
前記移送ガイド部１３は、鉄製の軸棒１３ｄ（以下、ローラ軸と記す。）に、エンビ材質のガイドローラ１３ｂを、更にその外周に同様のエンビ材質の移送ローラ１３ａが回転自在に設けられて構成されている。このように構成することにより、たとえ軸棒１３ｄに腐食が生じても、透明樹脂シート６０の重量が移送ローラ１３ｂに掛かって撓んだ状態であってもエンビ材質のローラ同士の接触のため摩擦力（摩擦係数）が小さくスムーズな移送が行えるものである。
【００１４】
また、第一飛出防止部１１、第二飛出防止部１２も移送ガイド部１３と同様に、ローラ軸１１ｄ、１２ｄに、エンビ材質のガイドローラ１１ｂ、１２ｂを、そしてその上に移送ローラ１１ａ、１２ａを設けることで、一段と透明樹脂シート６０の移送が容易に行える結果となる。尚、ガイドローラはフランジ状に成した形状のものでも良く、図６に示したものに限定されるものではない。
【００１５】
そして、第一飛出防止部１１、第二飛出防止部１２、移送ガイド部１３によって囲まれて形成される空間が、パイプハウス１の長手方向に対して移送路４０を形成している。尚、第二飛出防止部１２の上部には、ローラ軸１２ｄを湾曲もしくは屈曲させて形成した凹部にマイカー線を一時的に掛止可能に成した掛止保持部１４が設けられている。
【００１６】
前記移送ガイド部１３の移送ローラ１３ａは、第一飛出防止部１１、第二飛出防止部１２の移送ローラ１１ａ、１２ａの下方ガイド面１１ｃ、１２ｃよりも多少高い位置にその上面が位置するように設けられている。このことにより、透明樹脂シート６０が移送ガイド部１３の移送ローラ１３ａと、第一飛出防止部１１、第二飛出防止部１２の移送ローラ１１ａ、１２ａの角部に挟まり込むことが回避、防止される。
【００１７】
第二飛出防止部１２は、第一飛出防止部１１のローラ軸１１ｄに設けられた付勢手段３１ａ（例えば、バネ等）を有した取付部材３１を介して係着されると共に、他端は、移送ガイド部１３のローラ軸１３ｄに設けられた係止片３２の係止欠切３２ａに、ローラ軸１２ｄが嵌合することで、三角形状の移送路４０を形成することができる。そして、前記第二飛出防止部１２のローラ軸１２ｄが係止片３２の係止欠切３２ａから外れるとバネの付勢力により第二飛出防止部１２が取付部材３１を支点に横上方に向かって跳ね起き、第二飛出防止部１２と移送ガイド部１３間に開口部５０が形成される。これにより、透明樹脂シート６０の挿入、取外しが容易に行えることとなる（図４）。また、第一飛出防止部１１と第二飛出防止部１２と移送ガイド部１３とで三角形状の移送路４０を形成することで、移送中及び風に煽られるような場合の透明樹脂シート６０の広がりを抑制することが可能になる。
【００１８】
第一飛出防止部１１のローラ軸１１ｄと、移送ガイド部１３のローラ軸１３ｄは、展張本体部１５に接続されており、展張本体部１５は、平面体により形成されていて、後述するベース本体部２０の係合手段２２に設けられた係合案内部２２ａにスライド挿入することで、ベース本体部２０に係合可能（着脱自在）と成す。
【００１９】
ベース本体部２０は、展張本体部１５を係合可能な係合手段２２と、ベース本体部２０をパイプハウス１の屋根部１ａに設けられた屋根梁部３ａに取り付けるための固定部２１とで構成されている。固定部２１の少なくとも内面の一部が屋根梁部３ａを外周と面接触するように成していているので、しっかりと屋根梁部３ａに固定することができる。また、パイプハウス１の種類により屋根部１ａの傾斜角度や形状が異なるので、展張器具１０を適切な状態に取り付けするために、固定部２１により屋根梁部３ａに対してベース本体部２０の取り付け位置や角度を自在に調整できるように成している。
【００２０】
ベース本体部２０に設けられた係合手段２２は、略コの字の矩形状を成した係合案内部２２ａで構成され、上部及び側面の一部が開口し、係合案内部２２ａ内部に展張本体部１５がスライド挿入されることでしっかりと係合可能に成している。係合案内部２２ａにより展張本体部１５は上下方向にスライド自在に設けられているので、展張本体部１５を取り外す際にも容易に行えるようになっている。また、係合案内部２２ａにより展張本体部１５としっかりと係合しているので、透明樹脂シート６０の牽引を行う際に生じるパイプハウス１の長手方向への力によって、ベース本体部２０から展張本体部１５が外れてしまうようなことはない。  
【００２１】
次に、以上説明した本発明の展張器具１０をパイプハウス１へ取り付ける方法について説明する。パイプハウス１の骨組みであるアーチパイプ２には、パイプハウス１の長手方向に伸びた複数の梁部３がアーチパイプ２に内接されている。本発明の展張器具１０は、パイプハウス１の屋根部１ａに内接して設置された屋根梁部３ａのうち、雨樋４の近傍で作業の行い易い高さに位置する屋根梁部３ａ、且つアーチパイプ２の近傍に、ベース本体部２０を固定した後、前記した展張本体部１５をベース本体部２０に取付けて、展張器具１０の設置が完了する。  
【００２２】
続いて、本発明の展張器具１０を用いた透明樹脂シート６０の展張作業について説明する。上記展張器具１０の取り付け作業を終了すると図１のような状態になる（図１参照）。透明樹脂シート６０の展張作業者は、展張器具１０の取り付け後、パイプハウス１の雨樋４上に立ち、マイカー線を持ち上げて展張器具１０の掛止保持部１４に掛止させる。パイプハウス１の一方側の出入口側面部１ｃの近傍に取り付けた展張器具１０の移送ガイド部１３上からマイカー線の下を通すようにして、隣接設置した展張器具１０の移送ガイド部１３へと順次にパイプハウス１のもう一方の出入口側面部１ｃの近傍に取り付けた展張器具１０まで牽引していく。この場合に透明樹脂シート６０の一片を結束し、牽引ロープに接続して、ウインチ等の動力源を用いて自動的に牽引するよう成しても良い。  
【００２３】
展張器具１０の内部において、パイプハウス１の長手方向に牽引された透明樹脂シート６０を展張器具１０の外部に出して、パイプハウス1の反対側面側へ引き伸ばし、マイカー線を展張器具１０の掛止保持部１４から掛止状態を解除して、透明樹脂シート６０をしっかりと固定する位置に配置する。続いて、展張器具１０をベース本体部２０より取り外し、作業者が立っている雨樋４側まで透明樹脂シート６０を引き伸ばし、それぞれの位置合わせを行って固定することでパイプハウス１の屋根部１ａにおける透明樹脂シート６０の展張作業は終了する。  
【００２４】
展張器具１０は、従来のようにパイプハウス１から展張器具１０を外すためにネジ等を操作するのではなく、展張本体部１５をベース本体部２０から引き抜くだけで、容易に取り外すことができるので作業の煩わしさがなく、高齢者や女性でも作業が行え、作業時間の短縮に繋がるものである。また、次のパイプハウス１の屋根梁部３ａに予め取り付けておき、取り外した展張本体部１５をベース本体部２０に挿入すれば、次々と作業を進めることが可能になる。一度、取り付けたベース本体部２０は取り外す必要がないので、次の作業時には、展張本体部１５を挿入するだけで、透明樹脂シート６０の展張作業を開始することが可能になる。
【図面の簡単な説明】
【００２５】
【図１】本発明に係る展張器具を設置したパイプハウスの斜視図である。
【図２】本発明の展張器具の外観斜視図であり、展張本体部をベース本体部に係合した使用状態図である。
【図３】図２の背面図である。
【図４】本発明の展張器具の外観斜視図であり、展張本体部をベース本体部から取外した状態で、且つ第二飛出防止部と移送ガイド部間に開口部が形成されている状態図である。
【図５】本発明の展張器具の第一飛出防止部と第二飛出防止部の係着状態を示す斜視図である。
【図６】本発明の展張器具の第一飛出防止部と第二飛出防止部と移送ガイド部の説明図である。
【図７】図６のＡ−Ａ断面図である。
【図８】本発明の展張器具内において、牽引中に移送される透明樹脂シートの状況をパイプハウスの出入口面部側から見た説明図である。
【図９】本発明の展張器具内において、透明樹脂シートの挿入又は取外し状態をパイプハウスの出入口面部側から見た説明図である。
【符号の説明】
【００２６】
１      パイプハウス  ２      アーチパイプ  ３      梁部  １０    展張器具  １１    第一飛出防止部  １１ａ、１２ａ、１３ａ    移送ローラ  １１ｂ、１２ｂ、１３ｂ    ガイドローラ  １１ｃ、１２ｃ    下方ガイド面  １１ｄ、１２ｄ、１３ｄ    軸棒（ローラ軸）  １２    第二飛出防止部  １３    移送ガイド部  １４    掛止保持部  １５    展張本体部  ２０    ベース本体部  ２１    固定部  ２２    係合手段  ２２ａ  係合案内部  ３１    取付部材  ３１ａ  付勢手段  ３２    係止片  ３２ａ  係止欠切４０    移送路５０    開口
部  ６０    被覆部材（透明樹脂シート）  
【図１】
2006087381.tif 000003
【図２】
2006087381.tif 000004
【図３】
2006087381.tif 000005
【図４】
2006087381.tif 000006
【図５】
2006087381.tif 000007
【図６】
2006087381.tif 000008
【図７】
2006087381.tif 000009
【図８】
2006087381.tif 000010
【図９】
2006087381.tif 000011